(57)【特許請求の範囲】
【請求項１】
ベランダ、浴槽等の被引掛材に引掛可能な引掛部を有する複数個の保持体と、保持体に設けられる干置体とからなり、上記干置体を上記保持体に対して連結部により着脱自在及び被引掛材に対向する方向に位置調節自在に設け、干置体の位置調節により被引掛材の幅方向のサイズに応じて干置体と被引掛材との当接位置を可変自在に設けてなり、上記連結部は上記保持体に鉤状部を上記被引掛材に対向する方向に並列状に複数個形成すると共に上記干置体に該各鉤状部に着脱可能な棚杆を上記被引掛材に対向する方向に並列状に複数個設けてなることを特徴とする物干し器。
【請求項２】
上記引掛部は上記被引掛材の後面に当接可能な後引掛部及び該被引掛材の上面に当接可能な上引掛部からなることを特徴とする請求項１記載の物干し器。
【請求項３】
上記保持体に上記被引掛材を受入可能な受入凹部を形成し、該受入凹部の内面を上記後引掛部及び上引掛部に形成してなることを特徴とする請求項２記載の物干し器。
【発明の詳細な説明】
【０００１】
【発明の属する技術分野】
本発明は例えばベランダや浴槽等を利用して洗濯物を干す際に用いられる物干し器に関するものである。
【０００２】
【従来の技術】
従来、この種の物干し器として、ベランダ、浴槽等の被引掛材の上部に引掛可能な保持体と、この保持体に設けられた干置体とからなる構造のものが知られている。
【０００３】
【発明が解決しようとする課題】
しかしながら上記従来構造の場合、ベランダ、浴槽等の被引掛材のサイズに適応できないことがあり、それだけ商品の使用の融通性を低下させることがあるという不都合を有している。
【０００４】
【課題を解決するための手段】
本発明はこのような課題を解決することを目的とするもので、本発明のうちで、請求項１記載の発明は、ベランダ、浴槽等の被引掛材に引掛可能な引掛部を有する複数個の保持体と、保持体に設けられる干置体とからなり、上記干置体を上記保持体に対して連結部により着脱自在及び被引掛材に対向する方向に位置調節自在に設け、干置体の位置調節により被引掛材の幅方向のサイズに応じて干置体と被引掛材との当接位置を可変自在に設けてなり、上記連結部は上記保持体に鉤状部を上記被引掛材に対向する方向に並列状に複数個形成すると共に上記干置体に該各鉤状部に着脱可能な棚杆を上記被引掛材に対向する方向に並列状に複数個設けてなることを特徴とする物干し器にある。
【０００５】
又、請求項２記載の発明は、上記引掛部は上記被引掛材の後面に当接可能な後引掛部及び該被引掛材の上面に当接可能な上引掛部からなることを特徴とするものであり、又、請求項３記載の発明は、上記保持体に上記被引掛材を受入可能な受入凹部を形成し、該受入凹部の内面を上記後引掛部及び上引掛部に形成してなることを特徴とするものである。
【０００６】
【発明の実施の形態】
図１乃至図６は本発明の実施の形態例を示し、図１乃至図５は実施の第一形態例、図６は第二形態例である。
【０００７】
図１乃至図５の実施の第一形態例において、１は保持体であって、この場合合成樹脂製にして二個設けられ、ベランダ、浴槽等の被引掛材Ｗの上部に引掛可能な引掛部２を有している。
【０００８】
この場合、上記被引掛材Ｗは横杆Ｗ1及び縦杆Ｗ2からなる建物のベランダとなっており、又、上記引掛部２として、上記保持体１に上記被引掛材Ｗの上部を受入可能な受入凹部２ａを形成し、受入凹部２ａの内面に上記被引掛材Ｗの後面である横杆Ｗ1の後面に当接可能な後引掛部２ｂ及び被引掛材Ｗの上面である横杆Ｗ1の上面に当接可能な上引掛部２ｃを形成している。
【０００９】
３は干置体であって、金属線材からなる複数個の棚杆３ａ・・・及び側杆３ｂからなり、上記保持体１に対して連結部４により着脱自在及び被引掛材に対向する方向に位置調節自在に設けられ、保持体１と干置体３との選択的な着脱により干置体３の保持体１に対する相対位置を調節し、この位置調節により被引掛材Ｗの幅方向のサイズＢに応じて干置体３と被引掛材Ｗとの当接位置Ｐを可変自在に設けて構成している。
【００１０】
この場合、上記連結部４は、上記保持体１に鉤状部５・・・を上記被引掛材Ｗに対向する方向に並列状に複数個形成すると共に上記干置体３に各鉤状部５・・・に同時に着脱可能な棚杆３ａ・・・を上記被引掛材Ｗに対向する方向に並列状に複数個設けて構成している。
【００１１】
この実施の第一形態例は上記構成であるから、図１の如く、二個の保持体１を干置体３の左右両側に配置し、連結部４により保持体１に干置体３を連結し、二個の保持体１を引掛部２によりベランダ、浴槽等の被引掛材Ｗの上部に引掛けると共に干置体３の枠杆３ｂの外面と被引掛材Ｗとを当接位置Ｐで当接させることにより保持体１及び干置体３を被引掛材Ｗに保持させ、干置体３にタオル等の洗濯物Ｓを吊したり置いたりして使用することになる。
【００１２】
この際、干置体３は保持体１に対して連結部４により着脱自在及び被引掛材に対向する方向に位置調節自在に設けられているので、図４又は図５の如く、連結部４により、被引掛材Ｗの幅方向のサイズＢ、この場合、横杆Ｗ1の外面と縦杆Ｗ2の外面との距離の大小に応じて保持体１と干置体３との相対取付位置を調節し、この調節により干置体３の枠杆３ｂの外面と被引掛材Ｗとの当接位置Ｐを調節し、この調節により干置体３の例えば略水平状態等の姿勢を調節することができ、それだけ、被引掛材Ｗに対する使用の融通性を高めて用途を拡大することができる。
【００１３】
又、この場合、上記連結部４は、上記保持体１に鉤状部５・・・を上記被引掛材Ｗに対向する方向に複数個形成すると共に上記干置体３に各鉤状部５・５・５・・・に着脱可能な棚杆３ａ・・・を上記被引掛材Ｗに対向する方向に複数個設けてなるから、複数個の鉤状部５・・・と複数個の棚杆３ａ・・・との選択的な着脱により保持体１と干置体３との相対調節位置に確実に連結することができると共に干置体３を保持体１から容易に取り外すことができ、上記相対位置調節を迅速に行うことができ、かつ、不使用時には保持体１から干置体３を取り外すことによりコンパクトに収納保管することができる。
【００１４】
又、この場合、上記引掛部２は上記被引掛材Ｗの後面に当接可能な後引掛部２ｂ及び被引掛材Ｗの上面に当接可能な上引掛部２ｃからなるので、保持体１を被引掛材Ｗに確実に保持させることができ、又、この場合、上記保持体１に上記被引掛材Ｗの上部を受入可能な受入凹部２ａを形成し、受入凹部２ａの内面を上記後引掛部２ｂ及び上引掛部２ｃに形成してなるから、構造を簡素化することができる。
【００１５】
図６の第二形態例は保持体１を三個用いた実施の形態例であり、第一形態例と同様な作用効果を得ることができると共に干置体３の大きさ及び耐荷重の増加を図ることができる。
【００１６】
尚、本発明は上記実施の形態例に限られるものではなく、保持体１、引掛部２、干置体３、連結部４の構造等は適宜変更して設計される。
【００１７】
【発明の効果】
本発明は上述の如く、請求項１記載の発明にあっては、干置体は保持体に対して連結部により着脱自在及び被引掛材に対向する方向に位置調節自在に設けられているので、被引掛材のサイズに応じて保持体と干置体との相対取付位置を調節し、この調節により干置体と被引掛材との当接位置を調節することにより干置体の姿勢を調節することができ、それだけ、被引掛材に対する使用の融通性を高め、使用用途を拡大することができ、更に、上記連結部は、上記保持体に鉤状部を上記被引掛材に対向する方向に複数個形成すると共に上記干置体に各鉤状部に着脱可能な棚杆を上記被引掛材に対向する方向に並列状に複数個設けてなるから、複数個の鉤状部と複数個の棚杆との選択的な着脱により保持体と干置体とを調節位置に確実に連結することができると共に干置体を保持体から容易に取り外すことができ、上記相対位置調節を迅速に行うことができ、かつ、不使用時には保持体から干置体を取り外すことによりコンパクトに収納保管することができる。
【００１８】
又、請求項２記載の発明にあっては、上記引掛部は上記被引掛材の後面に当接可能な後引掛部及び被引掛材の上面に当接可能な上引掛部からなるので、保持体を被引掛材に確実に保持させることができ、又、請求項３記載の発明にあっては、上記保持体に上記被引掛材の上部を受入可能な受入凹部を形成し、受入凹部の内面を上記後引掛部及び上引掛部に形成してなるから、構造を簡素化することができる。
【００１９】
以上、所期の目的を充分達成することができる。
【図面の簡単な説明】
【図１】  本発明の実施の第一形態例の斜視図である。
【図２】  本発明の実施の第一形態例の分解斜視図である。
【図３】  本発明の実施の第一形態例の分解拡大斜視図である。
【図４】  本発明の実施の第一形態例の使用状態の側断面図である。
【図５】  本発明の実施の第一形態例の使用状態の側断面図である。
【図６】  本発明の実施の第二形態例の使用状態の斜視図である。
【符号の説明】
Ｗ  被引掛材
１  保持体
２  引掛部
２ａ  受入凹部
２ｂ  後引掛部
２ｃ  上引掛部
３  干置体
３ａ  棚杆
４  連結部
５  鉤状部
【図１】
0003665989.tif 000002
【図２】
0003665989.tif 000003
【図３】
0003665989.tif 000004
【図４】
0003665989.tif 000005
【図５】
0003665989.tif 000006
【図６】
0003665989.tif 000007